(57)【要約】      （修正有）【課題】専用刃を要さずに通常のカッターナイフを用いることができ、商品化が容易な紙パック解体器具を提供する。【解決手段】紙パック解体器具１aは上部が開放した直方体形状をしており、底面と正面および底面と両側面の３つの辺部分に切れ目（カッター挿入部）２があり、通常のカッターの刃を挿入することができるようになっている。紙パック解体器具１aに紙パックを入れ、切れ目にカッターの刃を入れて紙パックの底辺３辺をカットすることで、紙パックは折りたたむことができる状態になる。【選択図】図１
2020036861.tif 000002
【特許請求の範囲】
【請求項１】
上方が開放して内部に空間を有する概ね直方体の形状であり、紙パックを前記上方から胴体部に入れることができ、底面部は背面部とのみ繋がっており、前記底面部と右側面部および前記底面部と左底面部および前記底面部と正面部のそれぞれの組み合わせの面の間にはカッターの刃を挿入することのできる底面カッター挿入部を有していることを特徴とする紙パック解体器具。
【請求項２】
前記紙パック解体器具の前記胴体部が、折り畳み可能であることを特徴とする請求項１に記載の紙パック解体器具
【請求項３】
前記紙パック解体器具の前記胴体部が、展開可能であることを特徴とする請求項１または請求項２に記載の紙パック解体器具
【請求項４】
前記正面部に、高さ方向へ縦断してカッターの刃を挿入することのできる正面カッター挿入部を設けたことを特徴とする請求項１乃至請求項３のいずれか一つに記載の紙パック解体器具。
【請求項５】
前記底面部を除くいずれかの面に支持穴を有することを特徴とする請求項１乃至請求項４のいずれか一つに記載の紙パック解体器具。
【発明の詳細な説明】
【技術分野】
【０００１】
本発明は、空になった紙パックを安全にかつ簡単に解体することができ、容器の減容・リサイクルに寄与する。
【背景技術】
【０００２】
従来より、空になった紙パックを解体するための器具があった。
紙容器の長辺に対応した部分に溝状のスライド部を有する直方体形状の冶具を紙容器内部に差込み、冶具に沿って内部にカッター部を有しする外枠をスライドさせることにより紙パックを底面から放射状に解体する紙容器解体具（例えば特許文献１）があった。
また、紙パックの収まるサイズの円筒内部に刃を有し、円筒を回転させることで紙パックの底面部分を切り離すことのできる紙パック解体器具（例えば特許文献２）があった。
また、紙パックを内側および外側の双方から冶具で挟み込み、かつ円筒状のガイドにカッターを固定して紙パック底面部を切り取る紙パック解体器具（例えば非特許文献１）があった。
【先行技術文献】
【特許文献】
【０００３】
【特許文献１】特開２０１１−１４３９３７号公報
【特許文献２】特開２００４−２９０６３６号公報
【非特許文献】
【０００４】
【非特許文献１】登録実用新案３０８３６２５号公報
【発明の概要】
【発明が解決しようとする課題】
【０００５】
従来の紙パック解体に関する器具にはいくつかの問題点があった。
まず器具に専用刃を使うという問題である。器具に専用刃を設けることは商品とした際にそれ自体の安全を確保するために商品化が難しくなるという問題がある。多少乱暴な使用をした際にも怪我が起こらない設計が求められる。紙パックは丈夫な紙でできているためカットにおいて力を要するので力を入れる弾みで怪我をする可能性も大きい。さらに刃先は必ず使用とともに切れ味が劣化するために交換できるようにするニーズも出てくる。刃先を交換するためには専用の交換刃を用意する必要があるが汎用品ではない専用刃を用意するとなれば相当な数が市場に流通することを前提にしなくてはならず商品化が困難になる。
また、部品点数の多さや大きさが問題である。紙パックを解体する際に刃が入りやすくするために紙パックの形状を保持するための冶具を別に設けるなど２つ以上の解体部品より構成されているものもあり、そのサイズも１リットル容量の紙パックを解体するとなるとサイズも大きく成形コストが高くなり商品化が難しくなる。また、サイズが大きいと未使用時の保管スペースが大きくなりユーザーにとって扱いにくいものとなる。
また、解体後の形状は、リサイクルのための荷造りにおいて重要な要素である。紙パックの解体後の姿として底面を中心に放射状に解体された形状になるものや底面部分がカット分離されて２つに分かれるものがあり、荷造りしやすい形状とは言えない。
【課題を解決するための手段】
【０００６】
本発明である紙パック解体器具は、紙パックを解体する際の刃として通常のカッターナイフを用いる。通常のカッターナイフを用いることで、商品化する際に刃自体の安全性を憂慮する必要がなくなる。紙パック解体器具としてカッター部品を別に設けるより、一般的な家庭において常備されているカッターナイフを用いる方が場所もとらず扱いやすいと考えられる。
【０００７】
本発明である紙パック解体器具は上部が開放して内部に空間を有する概ね直方体の形状で、その紙パック解体器具の中に紙パックを隙間の少ない状態で入れることができる。紙パック解体器具は底面部と正面部および底面部と両側面部の３つの境目部分に切れ目（カッター挿入部）があり、そのカッター挿入部にカッターの刃を挿入することができるようになっている。
紙パック解体器具に紙パックを入れ、カッター挿入部にカッターの刃を挿入して紙パックの底辺３辺をカットすることで、紙パックは折りたたむことができる状態になる。解体後の形状は畳んだ筒の下側に底面が１辺で繋がっている状態になりコンパクトである。
【０００８】
本発明の紙パック解体器具の底面部を除くいずれかの面に穴（支持穴）を設けることにより、カット時に紙パック解体器具を支持する手のひらや指が紙パック解体器具と紙パックに同時にあたって紙パック解体器具と紙パックの双方を固定することができ、紙パックをカットする際にずれが発生しにくくなり確実にカットすることができる。
【０００９】
本発明の紙パック解体器具の高さは色々なサイズが考えられる。未使用時にも邪魔にならない方法として未使用時はペン立てとしても使用できるようにすることもできる。この場合、高さを５〜１５ｃｍ程度が望ましい。このサイズにすることで使用しないときはペン立てなどの入れ物として使用できることで未使用時にも邪魔にならないようにする。
【００１０】
紙パックの解体後の形状について胴体部分（紙パックの正面・背面・左右側面で囲まれた部分）を切り開いて１枚平面の状態が良い場合は、前記紙パック解体器具の正面部の中央に底面部から上部にかけての切れ目を入れ、この切れ目をカッターのガイドとすることで、解体後の紙パックについて筒部分を切り開いた状態にすることができる。
【発明の効果】
【００１１】
本発明である紙パック解体器具は、紙パックを安全でかつ容易に解体でき、また低コストでの生産が可能であるため、一般的な家庭用器具として市場展開しやすい。
【図面の簡単な説明】
【００１２】
【図１】本発明の第１実施形態である紙パック解体器具の斜視図である。
【図２】本発明の第１実施形態である紙パック解体器具の正面図である。
【図３】本発明の第１実施形態である紙パック解体器具の右側面図である。
【図４】本発明の第１実施形態である紙パック解体器具の左側面図である。
【図５】本発明の第１実施形態である紙パック解体器具の背面図である。
【図６】本発明の第１実施形態である紙パック解体器具の使用状況を表す斜視図である。
【図７】本発明の第２実施形態である紙パック解体器具の斜視図である。
【図８】本発明の第２実施形態である紙パック解体器具の正面図である。
【図９】本発明の第２実施形態である紙パック解体器具の右側面図である。
【図１０】本発明の第２実施形態である紙パック解体器具の左側面図である。
【図１１】本発明の第２実施形態である紙パック解体器具の背面図である。
【図１２】本発明の第２実施形態である紙パック解体器具の使用状況（紙パックの底をカット）を表す斜視図である。
【図１３】本発明の第１実施形態である紙パック解体器具を用いて解体した紙パックの斜視図である。
【図１４】本発明の第２実施形態である紙パック解体器具を用いて解体した紙パックの斜視図である。
【図１５】本発明である紙パック解体器具に取り付けるカップの斜視図である。
【図１６】本発明である紙パック解体器具にカップを取り付けて使用した状況を表す斜視図である。
【図１７】本発明の第２実施形態である紙パック解体器具の使用状況（紙パックの正面をカット）を表す斜視図である。
【図１８】本発明の第３実施形態である紙パック解体器具の正面図である。
【図１９】本発明の第３実施形態である紙パック解体器具の折り畳み状態から起立状態に変形する連続図である。
【図２０】本発明の第３実施形態である紙パック解体器具の使用状況（紙パックの底をカット）を表す斜視図である。
【図２１】本発明の第４実施形態である紙パック解体器具の展開図である。
【図２２】本発明の第４実施形態である紙パック解体器具の展開図で、組立部を現す展開図である。
【図２３】本発明の第４実施形態である紙パック解体器具の斜視図である。
【発明を実施するための形態】
【００１３】
（第１実施形態概観）
少なくとも正面部と右側面部と左側面部と背面部で囲まれた部分を胴体部という。
図１に示すとおり、本発明の第１実施形態である紙パック解体器具１ａは紙パック２０を上方より入れることのできるよう内部に空間を有する概ね直方体の形状であり、紙パック２０の底面を紙パック解体器具１ａの上方から胴体部に入れた際に底面部５ａで止まり、紙パック解体器具１ａ内部で紙パック２０が1ｍｍから１０ｍｍの遊びすなわち１ｍｍから１０ｍｍの隙間がある寸法となっている。尚、この遊びは１０ｍｍより大きくても構わない。
【００１４】
（カッター挿入部）
図１乃至図５に示すとおり、本発明の第１実施形態である紙パック解体器具１ａは底面部５ａの４つの辺のうち背面１３ａ側の辺を除く３つの辺が開放された底面カッター挿入部２を有している。即ち正面部１０ａと底面部５ａおよび右側面部１１ａと底面部５ａおよび左側面部１２ａと底面部５ａは繋がっておらず、底面部５ａは背面部１３ａとのみ繋がっている。
底面カッター挿入部２はカッターの刃を通すことができ、かつ最初にカッターの刃を紙パック２０に入れる際に左右にぶれない幅を有しており、通常１ｍｍ乃至５ｍｍの幅である。尚、この幅は５ｍｍを超えても機能する。
【００１５】
（解体方法）
図６を参照に紙パック２０の解体方法を説明する。まず紙パック２０の底面が紙パック解体器具１ａの底面部５ａに達するまで差し込む。右手でカッター５０を操作する場合、紙パック解体器具１ａの右側面部１１ａが上を向く配置（図６の状態）にし、カッター５０の刃を底面カッター挿入部２の奥側（紙パック解体器具の背面付近）に差込み手前に引いて紙パック２０の底面の１つ目の辺をカットする。カッター５０の刃は差し込んだ状態のままで解体器具１ａの正面部１０ａが上を向くように転がし、同様にカッター５０を手前に引いて紙パック２０の底面の２つ目の辺をカットする。更にカッター５０の刃を差し込んだ状態のまま解体器具１ａの左側面部１２ａが上を向くように転がして同様にカッター５０を手前に引いて紙パック２０の底面の３つ目の辺をカットする。
底面の３つの辺が連続してカットされた紙パック２０は、図１３のとおり底面のうち１辺がつながった状態になり、紙パック２０の胴体部分を折りたたみコンパクトな状態に解体される。
カッター５０の刃はカット操作中は常に紙パック解体器具１ａの内部にあり、誤ってカッターを持たない手を切る危険性がない。
【００１６】
（支持穴）
紙パック解体器具１ａを支持する手の置き方によっては、カッター５０で紙パック２０の底面の一辺を勢いよくカットしきってカッターの刃が紙パック解体器具１ａからはみ出した場合、反動で紙パック２０が上方にずれてしまい、次の辺をカットする場合に紙パック２０を差し込みなおす必要がある場合がある。
図１乃至図５に示すとおり、本発明の第１実施形態である紙パック解体器具１ａは背面部１３ａと右側面部１１ａの境界となる辺の一部に支持穴８を設けている。さらに右側面部１１ａと正面部１０ａおよび正面部１０ａと左側面部１２ａおよび左側面部１２ａと背面部１３ａのそれぞれの境界となる辺の一部にも支持穴８を設けている。
紙パック２０をカッター５０でカットする際、片手で紙パック解体器具１ａを支持するが片手を紙パック解体器具１ａに置いて支持したときに支持穴８があると手の一部が紙パック２０も支持することになり、カッター５０の操作時に紙パック２０が紙パック解体器具１ａ内部でずれることなく安定的にカットすることができる。
尚、支持穴８がない場合でも紙パック２０をカットすることはできる。
支持穴８は背面部１３ａと右側面部１１ａおよび右側面部１１ａと正面部１０ａおよび正面部１０ａと左側面部１２ａおよび左側面部１２ａと背面部１３ａのそれぞれの境界となる辺に設けることが望ましいが、カットの際、紙パック解体器具１ａを持つ手が当たる位置に支持穴８があれば、カット操作の際のすべりを防止することができるので、支持穴８は底面部５ａを除くいずれかの面にあれば良い。
尚、支持穴８がない場合でも紙パック２０をカットすることはできる。この場合、紙パック解体器具１ａを支持する手の置き方は紙パック２０と紙パック解体器具１ａの双方に手がかかるようにして、紙パック２０を固定した方が安定的にカットできる。
紙パック２０を紙パック解体器具１ａに入れた際の「遊び」であるが、「遊び」が大きければ紙パック２０は解体操作の際にずれやすくなるとともにカッター５０の刃を長く出す必要があり危険である。従って、[００１３]に記載のとおり、「遊び」は１ｍｍから１０ｍｍであることが望ましい。
【００１７】
（第２実施形態概観）
図７乃至図１１に示すとおり、本発明の第２実施形態である紙パック解体器具１ｂは紙パック２０を上方より入れることのできるよう内部に空間を有する概ね直方体の形状であり、紙パック２０の底面を紙パック解体器具１ｂの上方から胴体部に入れた際に底面部５ｂで止まり、紙パック解体器具１ｂ内部で紙パック２０が１ｍｍから１０ｍｍの遊びすなわち１ｍｍから１０ｍｍの隙間がある寸法となっている。尚この遊びは１０ｍｍより大きくても構わない。
本発明の第２実施形態である紙パック解体器具１ｂと紙パック解体器具１ａとの大きな違いは、紙パック解体器具１ｂは紙パック２０の正面を縦方向にカットするための正面カッター挿入部４を有することである。
【００１８】
（カッター挿入部）
本発明の第２実施形態である紙パック解体器具１ｂは紙パック２０の底面の３辺をカットする部位（底面カッター挿入部３）と紙パック２０の正面を縦方向にカットする部位（正面カッター挿入部４）を設けている。
図７乃至図１１に示すとおり、本発明の第２実施形態である紙パック解体器具１ｂは紙パック解体器具１ａと同様に底面部５ｂの４つの辺のうち背面部１３ｂ側の辺を除く３つの辺が開放された底面カッター挿入部３になっている。即ち正面部１０ｂと底面部５ｂおよび右側面部１１ｂと底面部５ｂおよび左側面部１２ｂと底面部５ｂは繋がっておらず、底面部５ｂは背面部１３ｂとのみ繋がっている。
また図１７に示す通り、紙パック解体器具１ｂには正面１０ｂを高さ方向（底面部５ｂ側から開放部側の方向）へ縦断する正面カッター挿入部４が設けられ、カッターの刃を差し込んで上下方向にカッター刃が移動できるようになっている。正面部１０ｂの正面カッター挿入部４側には紙パック解体器具１ｂを片手で支持する際に指をカッターの動線に置くことを防止するために正面カッター挿入部４の端が高くなったカッター挿入部壁１４ｂを有している。
尚、図９及び図１２に示す通り紙パック解体器具１ｂの底面部５ｂの正面側先端と正面部１０ｂの下端に少し空間があるが、これは、紙パック２０の正面を正面カッター挿入部４を用いて縦方向にカットするに際にカッター５０の刃が底面部５ｂにあたらず正面カッター挿入部４に差し込みやすくするためである。
【００１９】
（解体方法２）
本発明の第２実施形態である紙パック解体器具１ｂを用いて紙パック２０の底面の３辺をカットする際、まず紙パック２０の底面が紙パック解体器具１ｂの底面部５ｂに達するまで差し込む。右手でカッター５０を操作する場合、紙パック解体器具１ｂの右側面部１１ｂが上を向く配置にし、カッター５０の刃を底面カッター挿入部２の奥側（紙パック解体器具の背面付近）に差込み手前に引いて紙パック２０の底面の１つ目の辺をカットする。カッター５０の刃は差し込んだ状態のままで紙パック解体器具１ｂの正面部１０ｂが上を向くように転がし、同様にカッター５０を手前に引いて紙パック２０の底面の２つ目の辺をカットする（図１２の状態）。更にカッター５０の刃を差し込んだ状態のまま解体器具１ｂの左側面部１２ｂが上を向くように転がして同様にカッター５０を手前に引いて紙パック２０の底面の３つ目の辺をカットする。
更に紙パック解体器具１ｂの正面が上になるように配置し、図１７に示す通り正面カッター挿入部４にカッター２０の刃を入れ、手前に引ききる。正面カッター挿入部４は紙パック２０の正面全体まで伸びていなくともカッター２０を手前に大きく引ききることにより紙パック２０の正面は縦断される。
底面の３つの辺が連続してカットされかつ正面が縦断された紙パック２０は、図１４のとおり胴体部分と底面が１枚の平面として展開される解体形状となる。
【００２０】
（支持穴２）
本発明の第２実施形態である紙パック解体器具１ｂは紙パック解体器具１ａと同様に背面と右側面を仕切る辺の一部に支持穴８を設けている。右側面部１１ｂと正面部１０ｂおよび正面部１０ｂと左側面部１２ｂおよび左側面部１２ｂと背面部１３ｂのそれぞれの境界となる辺の一部に支持穴８を設けている。紙パック２０をカッター５０でカットする際、片手で紙パック解体器具１ｂを支持するが片手を紙パック解体器具１ｂに置いたときに支持穴８があると手の一部が紙パック１ｂも支持することになり、カッター５０の操作時に紙パック２０が紙パック解体器具１ｂ内でずれることなく安定的にカットすることができる。特に紙パック解体器具１ｂは紙パック２０の正面を縦方向にカットする機能を有しているため、紙パック２０の正面をカットの際には紙パック２０が紙パック解体器具１ｂ上方へ引っ張られる力が働く。この上方への引っ張りによるずれを防止するため紙パック解体器具１ｂの正面側にある支持穴８は有効に働く。
支持穴８は背面部１３ｂと右側面部１１ｂおよび右側面部１１ｂと正面部１０ｂおよび正面部１０ｂと左側面部１２ｂおよび左側面部１２ｂと背面部１３ｂのそれぞれの境界となる辺に設けることが望ましいが、カットの際、紙パック解体器具１ｂを持つ手が当たる位置に支持穴８があれば、カット操作の際のすべりを防止することができるので、支持穴８は底面部５ｂを除くいずれかの面にあれば良い。
尚、支持穴８がない場合でも紙パック２０をカットすることはできる。この場合、紙パック解体器具１ｂを支持する手の置き方は紙パック２０と紙パック解体器具１ｂの双方に手がかかるようにして、紙パック２０を固定すると紙パック２０のずれは発生しにくい。
【００２１】
（未使用時対応１）
本発明である紙パック解体器具の未使用時について、邪魔にならない方法としてその直方体形状を利用して文具入れなどに使用することができる。例えば紙パックの解体器具として使用しない場合は鉛筆４０やはさみなどの文具を入れ、解体器具として使用する際はその文具を出して使用することにより未使用時においても邪魔になることはない。
図１５および図１６に示すとおりカップ３０を付属することで、未使用時・使用時の使いやすさが向上する。カップ３０は上面が開放する概ね直方体の形状で紙パック解体器具１ａおよび紙パック解体器具１ｂに嵌めることができる。紙パック解体器具から取り出ししやすくするためにカップ３０の左右側面上端にフランジ３１を有している。
カップ３０に文具等の小物（例えば鉛筆４０）を入れておく。紙パック２０の解体未使用時は紙パック解体器具の内部にカップ３０を入れておく。紙パック２０の解体時にはカップ３０を紙パック解体器具から取り出して紙パック２０の解体を行う。紙パック解体終了後は元のとおり紙パック解体器具の内部にカップ３０を入れておく。これにより本発明である紙パック解体器具は解体作業の未使用時についても使途が存在するため邪魔にならない。
【００２２】
（未使用時対応２）
本発明である紙パック解体器具を冷蔵庫などの壁面に取り付けることで、紙パック２０解体の未使用時の保管に煩うことがなくなる。
［００２１］記載のとおり紙パック解体器具の未使用時に文具などの小物入れとして使用する場合、紙パック解体器具の背面に磁石（またはマグネットシート）を設けることにより冷蔵庫などの鉄素材面に取り付けられることが可能となり未使用時の保管に煩うことがなくなる。カップ３０の背面にも磁石（またはマグネットシート）を設けることで紙パック解体器具を紙パックの解体として使用している最中、文具等の小物の入ったカップ３０のみを冷蔵庫などの壁面に取り付けた状態のままにすることができる。
【００２３】
（第３実施形態概観）
図１８乃至図２０に示すとおり、本発明の第３実施形態である紙パック解体器具１ｃは折り畳んだ状態と起立した状態との間で可変であり、起立状態の時に紙パック２０を上方より胴体部に入れることのできるよう内部に空間を有する概ね直方体の形状であり、紙パック２０の底面を紙パック解体器具１ｃの上方から入れた際に底面部５ｃで止まり、紙パック解体器具１ｃ内部で紙パック２０が１ｍｍから１０ｍｍの遊びすなわち１ｍｍから１０ｍｍの隙間がある寸法となっている。尚、この遊びは１０ｍｍより大きくても構わない。
【００２４】
（折り畳み）
図１９に示すとおり、本発明の第３実施形態である紙パック解体器具１ｃは正面部１０ｃと右側面部１１ｃおよび正面部１０ｃと左側面図１２ｃおよび背面部１３ｃと右側面部１１ｃおよび背面部１３ｃと左側面部１２ｃのそれぞれの組み合わせの面の境目となる辺／または辺の一部が可動部６０で繋がっている。底面部５ｃは背面部１３ｃとのみながっている。この可動部６０を有することにより、紙パック解体器具１ｃは折り畳んだ状態（図１９（Ａ）参照）でコンパクトに保管できる形状になることもでき、また隣接する面が垂直となる起立状態になることで（図１９（Ｃ）参照）、図２０に示す通り紙パック２０を紙パック解体器具１ｃの胴体部に納めることができる。
可動部６０は例えばＰＶＣ・エラストマー・樹脂フィルム・布など柔軟性ある素材でもよいし、金属製や樹脂製の丁番でも良い。また、可動部６０を各面の素材と同一にしつつ厚みを薄くすることによって柔軟性を持たせても良い
第３実施形態である紙パック解体器具１ｃの４つの可動部６０のうち、いずれか１つ以上の可動部６０が分離して、正面部１０ｃおよび右側面部１１ｃおよび左側面部１２ｃおよび背面部１３ｃが平面状態に展開することもできる。例えば可動部６０の１つが丁番であり、丁番軸を抜き差しできる構造にすることで展開可能とすることもできるし、例えば可動部６０の１つを強力な磁性体で構成することにより展開可能とすることもできる。尚、分離可能な可動部６０はこれらの方法に限らない。
【００２５】
（底面カッター挿入部）
図１９乃至図２０に示す通り、本発明の第３実施形態である紙パック解体器具１ｃの底面部５ｃの４つの辺のうち背面側の辺を除く３つの辺が開放された底面カッター挿入部６になっている。即ち正面部１０ｃと底面部５ｃおよび右側面部１１ｃと底面部５ｃおよび左側面部１２ｃと底面部５ｃは繋がっておらず、底面部５ｃは背面部１３ｃとのみ繋がっている。
底面部５ｃは紙パック解体器具１ｃ内部に入れられた紙パック２０の底面を止め、カットする際に紙パック２０を適切な位置にポジショニングする役割がある。
また、底面カッター挿入部６はカッターの刃を通すことができ、かつ最初にカッターの刃を紙パック２０に入れる際に左右にぶれない幅を有しており、通常１ｍｍ乃至５ｍｍの幅である。尚、この幅は５ｍｍ以上でも良い。
ユーザーは底面カッター挿入部６にカッター５０の刃を差し込み手前に引いて紙パック解体器具１ｃの上向きの面を変えながら紙パック２０の底面上部の左側面および正面および右側面をカットし、背面のみを切り残して図１３のとおり解体する。
【００２６】
（支持穴）
本発明の第３実施形態である紙パック解体器具１ｃの底面部５ｃを除くいずれかの面に対して[００１６]に記載の支持穴８を設けてもよい。
【００２７】
本発明の第３実施形態である紙パック解体器具１ｃの別の実施形態として、胴体部のいずれかの位置に可動部６０を設けて折り畳めるようにしても良い。
【００２８】
（第４実施形態概観）
本発明の第４実施形態である紙パック解体器具１ｄは図２３に示す組立てた状態から、図２１乃至図２２に示す通り、正面部１０ｄおよび右側面部１１ｄおよび左側面部１２ｄおよび背面部１３ｄを平面状態に展開することができる。
組立て状態（図２３）と展開状態（図２１）の双方の状態に変化することが可能である。
更に、組立て状態において、本発明の第３実施形態と同様に折り畳んだ状態と起立状態との間で可変であり、起立状態の時に紙パック２０を上方より入れることのできるよう内部に空間を有する概ね直方体の形状であり、紙パック２０の底面を紙パック解体器具１ｄの上方から胴体部に入れた際に底面部５ｄで止まり、紙パック解体器具１ｄ内部で紙パック２０が１ｍｍから１０ｍｍの遊びすなわち１ｍｍから１０ｍｍの隙間がある寸法となっている。尚、この遊びは１０ｍｍ以上でも構わない。
紙パック解体器具１ｄは展開ができて可動部６０により各面が折り畳めることにより、コンパクトに収納することができる。また、製造時に展開状態で成形することにより簡素な作業工程で製造することができる。
【００２９】
（組立て）
図２１乃至図２２に示す通り、紙パック解体器具１ｄは正面部１０ｄと左側面部１２ｄの間で分離しており、正面部１０ｄの右側には可動部６０を挟んで組立体７０がある。左側面部１２ｄには組立ての際に組立体７０と重なる組立部８０がある。組立体７０と組立部８０はのりしろの関係にある。
組立体７０と組立部８０が接合することによって、図２３のとおり紙パック２０を上方から挿入する上部が開放された概ね直方体の形状を形成することができる。
組立体７０と組立部８０が接合して組立て状態を維持する方法としては磁着でも良いし、凹凸を設けることによる嵌着でも良いし、面ファスナーによる接着でも良いし、ボタンによって留める方法でも良いし、これらの方法に限らない。図２２では、組立て状態を維持する一例として、組立体７０には凸部７１を設けており、組立部８０には凹部８１を設けており、凸部７１と対応する凹部８１が嵌合することにより、紙パック解体器具１ｄは組立て状態を維持する。
尚、図２１乃至図２３では本体の展開における左右の端面はそれぞれ左側面部１２ｄと正面部１０ｄであり、組立体７０は可動部６０を挟んで正面部１０ｄの右側に設けられ、組立部８０は左側面部１２ｄに設けられているが、逆に、組立体７０は可動部６０を挟んで左側面部１２ｄの左側に設けて組立部８０を正面部１０ｄに設けてもよい。
正面部１０ｄと右側面部１１ｄと左側面部１２ｄと背面部１３ｄが平面状態に展開した形状に応じて組立体７０と組立部８０はその位置を変えることで、組立て状態を形成することができる。例えば、展開する左右の端面が正面部１０ｄと右側面部１１ｄの場合、組立体７０は可動部６０を挟んで右側面部１１ｄの右側に設け、組立部８０を正面部１０ｄに設けることで、組立てを可能とする。即ち、紙パック解体器具１ｄが展開している左右の端側の一方の面に対して可動部６０を挟んで組立体７０を設け、左右の端面のもう一方の面に組立部８０を設けることで、組み立て状態を可能とする。
【００３０】
（折り畳み）
図２３に示すとおり、本発明の第４実施形態である紙パック解体器具１ｄは組立て時において正面部１０ｃと右側面部１１ｃおよび正面部１０ｃと左側面図１２ｃおよび背面部１３ｃと右側面部１１ｃおよび背面部１３ｃと左側面図１２ｃのそれぞれの組み合わせの面の境目となる辺／または辺の一部が可動部６０で繋がっている。底面部５ｃは背面部１３ｃとのみながっている。この可動部６０を有することにより、紙パック解体器具１ｄは折り畳んだ状態でコンパクトに保管できる形状になることもでき、また隣接する面が垂直となる起立状態になることで紙パック２０を紙パック解体器具１ｄの内部に納めてカットすることができ、折り畳んだ状態と起立状態の間で可変であり、展開することもできる。
【００３１】
（底面カッター挿入部）
図２３に示す通り、本発明の第４実施形態である紙パック解体器具１ｄの底面部５ｄは４つの辺のうち背面側の辺を除く３つの辺が開放されており、カッター５０の刃を挿入することのできる底面カッター挿入部７を形成する。即ち正面部１０ｄと底面部５ｄおよび右側面部１１ｄと底面部５ｄおよび左側面部１２ｄと底面部５ｄは繋がっておらず、底面部５ｄは背面部１３ｄとのみ繋がっている。
紙パック２０を紙パック解体器具１ｃの胴体部に挿入した際に紙パック２０は底面部５ｄで止まり、カットする際に紙パック２０を適切な位置にポジショニングする役割がある。
また、底面カッター挿入部７はカッターの刃を通すことができ、かつ最初にカッターの刃を紙パック２０に入れる際に左右にぶれない幅を有しており、通常１ｍｍ乃至５ｍｍの幅である。尚この幅は５ｍｍより大きくとも機能する。
ユーザーは底面カッター挿入部７にカッター５０の刃を差し込み手前に引いて紙パック解体器具１ｄの上向きの面を変えながら紙パック２０の底面付近の左側面および正面および右側面をカットし、背面部のみを切り残して図１３のとおり解体する。
【００３２】
（支持穴）
本発明の第４実施形態である紙パック解体器具１ｄの底面部５ｄを除くいずれかの面に[００１６]に記載の支持穴８を設けてもよい。
【００３３】
（展開形状からの製造）
製造工程として、正面部１０ｄおよび右側面部１１ｄおよび左側面部１２ｄおよび背面部１３ｄが平面状態に展開した状態を作り、その後の工程で組立体７０と組立部８０を接着するなどして剥がれないようにして紙パック解体器具１ｄを製造しても良い。
【００３４】
本発明の第４実施形態である紙パック解体器具１ｄの別の実施形態として、展開する位置について胴体部のいずれかの場所に設けても良い（例えば正面部を縦に半分にする位置）。
【実施例１】
【００３５】
牛乳パックに代表される紙パックの底面は１辺が約７０ｍｍである。紙パック解体器具１ａの底の内径１辺を７２ｍｍにし、高さを９０ｍｍとした。各面に対して直径３０ｍｍの半円である支持穴８を設けた。底面カッター挿入部２は２ｍｍの幅とした。
紙パック２０を紙パック解体器具１ａの胴体部から底面部５ａに達するまで差込み、片手で紙パック解体器具１ａを押さえ、その際手の一部が支持穴８を通して紙パック２０に接することで紙パック２０はその位置を保持され、カッター５０の刃を底面カッター挿入部２に差込み紙パック２０の底面の３辺をカットした。紙パック２０はカット中に紙パック解体器具１ａ内部でずれることなくスムーズにカットすることができた。１０個の紙パックを解体する際に要した時間は４４秒であった。
【実施例２】
【００３６】
紙パック解体器具１ｂの底の内径１辺を７１ｍｍにし、高さを９０ｍｍとした。各面に対して直径３０ｍｍの半円である支持穴を設けた。底面部５ｂの前辺と紙パック解体器具１ｂ正面の隙間は２０ｍｍとした。底面カッター挿入部３および正面カッター挿入部４は２ｍｍの幅とした。
紙パック２０を紙パック解体器具１ｂの胴体部から底面部５ａに達するまで差込み、片手で紙パック解体器具１ａを押さえ、その際手の一部が支持穴８を通して紙パック２０に接することで紙パック２０はその位置を保持され、カッター５０の刃を底面カッター挿入部２に差込み紙パック５０の底面の３辺をカットした。次に正面カッター挿入部４の底面部５ｂ側にカッター５０の刃を入れ、紙パック上方に向けてカッター５０を引ききった。紙パック５０はカット中に紙パック解体器具１ａ内部でずれることなくスムーズにカットすることができた。１０個の紙パックを解体する際に要した時間は５６秒であった。
【実施例３】
【００３７】
カップ３０の底の外径１辺を７０ｍｍにし、高さを９２ｍｍとした。フランジ３１は１０ｍｍ外側にのびている。カップ３０に文具を入れた状態で紙パック解体器具１ａに差込み、紙パック解体器具１ａを紙パックの解体に使用しない時は文具入れとして使用した。
【実施例４】
【００３８】
本発明の第３実施形態である紙パック解体器具１ｃにおいて、正面部１０ｃ右側面部１１ｃ左側面部１２ｃ背面部１３ｃを厚み２ｍｍの樹脂板で構成し、それぞれの樹脂板の間は約２ｍｍの間隔をあけ、樹脂板の表裏を柔軟性あるＰＶＣシートで覆った。２ｍｍの間隔を設けられたそれぞれの樹脂板の間はＰＶＣシートで構成された可動部６０となり、紙パック解体器具１ｃは折り畳み／起立状態の間で変化することができた。
【産業上の利用可能性】
【００３９】
本発明は家庭に溜まりやすい空き紙パックを解体する器具であるが、構造が簡素であるとともに作業上の安全性も高いため、一般的な家庭用品として普及する可能性がある。また、紙パック解体の未使用時にも使途を持たせることで保管場所に困らないという利点があり、購買につながりやすい。
【符号の説明】
【００４０】
１ａ    紙パック解体器具
１ｂ    紙パック解体器具
１ｃ    紙パック解体器具    
１ｄ    紙パック解体器具
２      底面カッター挿入部
３      底面カッター挿入部
４      正面カッター挿入部
５ａ    底面部
５ｂ    底面部
５ｃ    底面部
５ｄ    底面部
６      底面カッター挿入部
７      底面カーター挿入部  
８      支持穴
１０ａ  正面部
１０ｂ  正面部
１０ｃ  正面部
１０ｄ  正面部
１１ａ  右側面部
１１ｂ  右側面部
１１ｃ  右側面部
１１ｄ  右側面部
１２ａ  左側面部
１２ｂ  左側面部
１２ｃ  左側面部
１２ｄ  左側面部
１３ａ  背面部
１３ｂ  背面部
１３ｃ  背面部
１３ｄ  背面部
１４ｂ  カッター挿入部壁
２０    紙パック
３０    カップ
３１    フランジ
４０    鉛筆
５０    カッター
６０    可動部
７０    組立体
７１    凸部
８０    組立部
８１    凹部
【図１】
2020036861.tif 000003
【図２】
2020036861.tif 000004
【図３】
2020036861.tif 000005
【図４】
2020036861.tif 000006
【図５】
2020036861.tif 000007
【図６】
2020036861.tif 000008
【図７】
2020036861.tif 000009
【図８】
2020036861.tif 000010
【図９】
2020036861.tif 000011
【図１０】
2020036861.tif 000012
【図１１】
2020036861.tif 000013
【図１２】
2020036861.tif 000014
【図１３】
2020036861.tif 000015
【図１４】
2020036861.tif 000016
【図１５】
2020036861.tif 000017
【図１６】
2020036861.tif 000018
【図１７】
2020036861.tif 000019
【図１８】
2020036861.tif 000020
【図１９】
2020036861.tif 000021
【図２０】
2020036861.tif 000022
【図２１】
2020036861.tif 000023
【図２２】
2020036861.tif 000024
【図２３】
2020036861.tif 000025